(57)【要約】【課題】本発明は、直接通話せずに、容易に相手を識別することのできる電話機を提供する。【解決手段】着信時に相手先の電話番号が識別できることを利用して着信者がキャッチホン機能を使用している時に第三者から着信があった場合その電話番号から予め登録しておいた電話番号を検索し、該当するものがある時は、メモリ内容から相手先名・電話番号等を表示装置に表示し、メモリに登録されたものがない時は、その着信を拒否あるいは自動的にメモリに登録するようにした。【選択図】図１
2005012850.tif 000002
【特許請求の範囲】
【請求項１】
時計手段と、優先順位・住所・相手先名等と電話番号を登録するメモリと、表示装置と、前記メモリの内容と着信した電話番号との比較手段と、該比較手段の結果着信番号とメモリに登録された電話番号とが合致したとき前記表示装置にメモリの内容を表示する表示手段と、メモリの内容と合致するものがないとき自動的に前記メモリに登録する手段と、優先順位によりキャッチホン機能を作動させる手段と、優先順位を設定する手段と、時間により検索するメモリを切り換える手段とを備えたデジタル方式電話装置において、着信時に相手先の電話番号が識別できることを利用して着信者がキャッチホン機能を使用している時に第三者から着信があった場合その電話番号から予め登録しておいた電話番号を検索し該当するものがある時は、前記メモリ内容から相手先名・電話番号等を表示装置に表示し、前記メモリに登録されたものがない時は、その着信を拒否あるいは自動的に前記メモリに登録するようにしたことを特徴とするデジタル方式電話装置。
【発明の詳細な説明】
【技術分野】
【０００１】
本発明は、電話番号等をメモリに登録できるデジタル方式の電話機のキャッチホンサービスに関する。
【背景技術】
【０００２】
現在のアナログ方式電話機では、着信時に相手先を識別するには、いったん電話機で着信を受け、発信者に暗唱番号等を入力してもらう必要があった。一方、通話時に第三者から着信があったときは、切り換えて第三者と通話ができるキャッチホンサービスがある。
【発明の開示】
【発明が解決しようとする課題】
【０００３】
しかし、従来のアナログ方式電話機では、発信者は相手先に電話を掛けた際、一度着信を受けてしまうので暗唱番号を入力している間電話料金を取られてしまう等の経済的負担がかかってしまう。また、キャッチホンサービスの場合電話をしている時にキャッチホンの受信があった場合、それが大切な相手でなくてもとにかく受信しなくては相手先が識別できなかった。
【０００４】
いずれにしても、相手方を識別するためには、直接通話をしたり、あらためて暗唱番号を入力してもらわなければならないという不具合があった。
【課題を解決するための手段】
【０００５】
本発明は、従来技術のこれらの問題点を解決し、直接通話せずに、容易に相手を識別することのできる電話機を提供することを目的とする。
【０００６】
上記課題を解決するために、本発明は、時計手段と、優先順位・住所・相手先名等と電話番号を登録するメモリと、表示装置と、前記メモリの内容と着信した電話番号との比較手段と、該比較手段の結果着信番号とメモリに登録された電話番号とが合致したとき前記表示装置にメモリの内容を表示する表示手段と、メモリの内容と合致するものがないとき自動的に前記メモリに登録する手段と、優先順位によりキャッチホン機能を作
動させる手段と、優先順位を設定する手段と、時間により検索するメモリを切り換える手段とを備えたデジタル方式の電話装置において、着信時に相手先の電話番号が識別できることを利用して着信者がキャッチホン機能を使用している時に第三者から着信があった場合その電話番号から予め登録しておいた電話番号を検索し該当するものがある時は、前記メモリ内容から相手先名・電話番号等を表示装置に表示し、前記メモリに登録されたものがない時は、その着信を拒否あるいは自動的に前記メモリに登録するようにした。
【発明の効果】
【０００７】
上記構成によれば、第三者から着信があった場合、キャッチホン機能がセットされているかどうかを確認し、着信拒否設定がされている場合で、検索の結果受信した番号と一致するものを見つけた時は、優先設定が有効であるかどうかを確認し、優先順位を比較し、受信した方が高い場合、表示装置に番号、相手先名等を表示できる。一方、着信拒否設定がなく、受信した番号が見つからない時は、着信した番号を自動的にＲＡＭ等に自動的に登録して表示装置に表示することができる。
【発明を実施するための最良の形態】
【０００８】
以下、図面を用いて本発明の実施例を説明する。
【０００９】
本発明は、デジタル方式電話機に時計手段と電話番号、住所等を記録するメモリを備える。上記の機能は、アナログ方式電話機では周知の事実であるが、これをデジタル方式電話機に備え新しい機能を実現した。
【００１０】
アナログ方式電話機でもキャッチホン機能はよく知られているが、着信相手を識別する事はできない。電話を掛ける相手が通話中でない時は、暗唱番号や特殊な操作で相手先に発信者の情報を通知するといった発明も提案されているが、手間がかかるうえ、相手先が通話中であると使用することができない。デジタル方式電話機の場合は、着信時に発信者の電話番号が情報として提供されるので、アナログ方式のような手間はいらな
い。
【００１１】
そこで、このことを利用してキャッチホン使用時に着信があった時に相手先電話番号を表示装置に表示させればよい。
【００１２】
このとき、メモリを検索することで予め短縮番号等で登録しておいた相手先名、住所、電話番号を表示装置に表示し、着信のあったことを使用者に通知する。また、キャッチホン優先順位を設定できるようにしておき、優先順位のついていない相手から通話中に着信があった場合はキャッチホン機能を作動させないようにしておく。まず、優先順位のついた相手に使用者が電話を掛けたときは発信時にその優先順位をＲＡＭ等に記憶しておく。
【００１３】
通話中に第三者より着信があった時は、優先順位を比較し、第三者の方が優先順位が高いときはキャッチホン機能を作動させる。
【００１４】
実際にこの機能を実現させるための実施例を図に示す。
【００１５】
図１は、本発明の電話装置の制御フローである。
【００１６】
まず、発信時にその電話番号に優先順位がついているかどうかを確認する。優先順位がある場合は順位を一時的にＲＡＭ等に記憶する。
【００１７】
次に通話をしている状態で、第三者から着信があった場合を説明する。このときキャッチホン機能がセットされているかどうかを確認し（ＳＴＥＰ１）、着信電話番号を認識する（ＳＴＥＰ２）。認識した電話番号を一時的にＲＡＭ等に記録した後、電話機付属の時計より時間を確認する（ＳＴＥＰ３）。予め時間別に使用するメモリを設定しておき認識した時間から選択されたメモリの内容を検索する（ＳＴＥＰ４）。次に着信拒否設定の有無を判断する（ＳＴＥＰ５）。ここで着信拒否設定とは、優先順位によりキャッチホン機能を作動させるかどうかの設定をいう。着信拒否設定がされている場合で、前記検索の結果受信した番号と一致するものを見つけた時（ＳＴＥＰ６）は、優先設定が有効であるかどうかを確認し（ＳＴＥＰ７）、優先順位を比較し（ＳＴＥＰ８）、受信した方が高い場合（ＳＴＥＰ９）、表示装置に番号、相手先名等を表示する（ＳＴＥＰ１０）。一方、着信拒否設定がなく（ＳＴＥＰ５）、受信した番号が見つからない時は（ＳＴＥＰ１１）、着信番号自動登録機能（着信した番号を自動的にＲＡＭ等に自動的に登録する機能）が選択されているか確認し（ＳＴＥＰ１２）選択されている時はメモリの空き番号に登録し（ＳＴＥＰ１３）表示装置に表示する（ＳＴＥＰ１４）。
【００１８】
以上説明したように、本発明の構成ならびに方法によれば、
（１）キャッチホンを受信した時に一度受信しなくても相手先を確認できる。
【００１９】
（２）予め設定しておくと登録した相手しか受信しないので通話中の相手に不快感を与えない。
【００２０】
（３）優先順位が自由に設定できるので、キャッチホンで着信して欲しい相手を簡単に設定できる。
【００２１】
（４）時間帯によって優先順位を設定できるので、昼間はビジネス用として夜間はプライベート用として使用でき、いちいち切り換えをしなくても良い。
【００２２】
（５）今掛けている相手より優先順位が低い第三者から着信があっても無視するので、優先順位の高い人と心配なく通話できる。
【００２３】
（６）自動登録機能を使うと通話中に掛ってきた電話番号を中断することなく記録できる。
【００２４】
（７）自動登録機能を使うと、リダイヤルも簡単にできる。
【００２５】
等の効果を有する。
【図面の簡単な説明】
【００２６】
【図１】本発明の電話装置の制御フロー。
【図１】
2005012850.tif 000003
【手続補正書】
【提出日】平成16年11月1日(2004.11.1)
【手続補正２】
【補正対象書類名】特許請求の範囲
【補正対象項目名】全文
【補正方法】変更
【補正の内容】
【特許請求の範囲】
【請求項１】
電話番号と優先順位とを登録するメモリを備え、
通話中に第三者からの着信があった場合、前記通話中の電話番号に対応する優先順位と前記第三者の電話番号に対応する優先順位とを前記メモリから検索して比較し、前記第三者の電話番号に対応する優先順位の方が高い場合に前記第三者の電話番号を表示することを特徴とする電話装置。
【請求項２】
電話番号と相手先名と優先順位とを登録するメモリを備え、
通話中に第三者からの着信があった場合、前記通話中の電話番号に対応する優先順位と前記第三者の電話番号に対応する優先順位とを前記メモリから検索して比較し、前記第三者の電話番号に対応する優先順位の方が高い場合に前記第三者の相手先名を表示することを特徴とする電話装置。
【請求項３】
着信拒否の設定がされている場合には前記優先順位の比較を行い、着信拒否の設定がされていない場合には前記優先順位の比較を行わないことを特徴とする請求項１又は２記載の電話装置。